(57)【要約】【課題】ヒートポンプ回路によるエネルギー消費効率の高い自然エネルギーの利用を図りつつ、貯湯タンクの可及的なコンパクト化と、必要な量及び湯温での給湯使用の確保との両立を実現し得る給湯装置を提供する。【解決手段】ヒートポンプ回路１３の凝縮過程での熱により熱交換加熱した給湯用湯を貯湯タンク１２に貯湯する。給湯路１７に切換弁１７ａを介装し、給湯元を貯湯タンク側か導湯経路１８側かに切換え可能とし、瞬間式給湯器であるバックアップ給湯器２の外部給湯経路８が導湯経路に接続されているか否かを接続端末１１２，２１２により接続検出する。接続検出が無ければ貯湯タンクからのみ給湯栓４又は浴槽７に給湯し、接続検出があれば湯温度センサ１２３に基づき給湯可能な湯がある限り貯湯タンクから給湯する一方、湯切れのときには切換弁を導湯側に切換えてバックアップ給湯器からの湯を導入した後に給湯する。【選択図】　　　図７
2004125226.tif 000002
【特許請求の範囲】
【請求項１】
ヒートポンプ給湯器と、瞬間式給湯器との組み合わせにより構成され、
上記ヒートポンプ給湯器は冷媒を圧縮、凝縮、膨張及び蒸発の冷凍サイクルで循環させるヒートポンプ回路と、給湯用水が給水される貯湯タンクとを備え、かつ、上記貯湯タンク内から導いた給湯用水を上記凝縮過程の冷媒の熱により熱交換加熱して上記貯湯タンク内に給湯用湯として貯湯されるように構成され、
上記瞬間式給湯器は入水口から出湯口までの経路の間で燃焼熱により熱交換加熱可能に構成され、
上記ヒートポンプ給湯器及び瞬間式給湯器は、上記貯湯タンクから給湯先までの給湯経路の途中に上記瞬間式給湯器の入水口から出湯口までの経路が介装されるよう直列に接続されて、上記瞬間式給湯器がヒートポンプ給湯器からの給湯に対する補助加熱源として機能するように構成されている
ことを特徴とする給湯装置。
【請求項２】
請求項１に記載の給湯装置であって、
上記ヒートポンプ給湯器の貯湯タンク内に給湯可能な湯があるか否かを検出する湯検出手段と、
この湯検出手段により湯があると検出されたとき上記瞬間式給湯器を非燃焼とする一方、湯がないと検出されたとき上記瞬間式給湯器を燃焼させる作動制御手段とを備えている、給湯装置。
【請求項３】
ヒートポンプ給湯器と、瞬間式給湯器との組み合わせにより構成され、
上記ヒートポンプ給湯器は冷媒を圧縮、凝縮、膨張及び蒸発の冷凍サイクルで循環させるヒートポンプ回路と、給湯用水が給水される貯湯タンクとを備え、かつ、上記貯湯タンク内から導いた給湯用水を上記凝縮過程の冷媒の熱により熱交換加熱して上記貯湯タンク内に給湯用湯として貯湯されるように構成され、
上記瞬間式給湯器は入水口から出湯口までの経路の間で燃焼熱により熱交換加熱可能に構成され、
上記ヒートポンプ給湯器及び瞬間式給湯器は、上記貯湯タンクへの給水と、上記入水口への給水とが共通の給水経路から行われる一方、上記貯湯タンクからの出湯と、上記出湯口からの出湯とが共通の給湯経路に対し行われるように、給水経路及び給湯経路に対し並列に接続され、かつ、
上記給湯経路に対し上記ヒートポンプ給湯器から出湯させるか、上記瞬間式給湯器から出湯させるかを切換可能に切換える切換手段が設けられている
ことを特徴とする給湯装置。
【請求項４】
請求項３に記載の給湯装置であって、
上記ヒートポンプ給湯器の貯湯タンク内に給湯可能な湯があるか否かを検出する湯検出手段と、この湯検出手段による検出結果に基づいて上記切換手段の切換作動を制御する作動制御手段とを備え、
上記作動制御手段は、上記湯検出手段により湯があると検出されたとき上記ヒートポンプ給湯器から出湯させるよう上記切換手段を切換える一方、湯がないと検出されたとき上記瞬間式給湯器から出湯させるよう上記切換手段を切換えるように構成されている、給湯装置。
【請求項５】
請求項３又は請求項４に記載の給湯装置であって、
上記切換手段は、ヒートポンプ給湯器の貯湯タンクから給湯経路への出湯部位の近傍に介装された第１切換弁と、瞬間式給湯器の出湯口から上記給湯経路への出湯部位の近傍に介装された第２切換弁とにより構成されている、給湯装置。
【請求項６】
請求項３又は請求項４に記載の給湯装置であって、
上記切換手段は、上記貯湯タンク側及び上記瞬間式給湯器の出湯口側の双方に対し着脱可能に接続される２つの上流側接続部と、給湯先に延びる給湯経路の上流側に対し着脱可能に接続される下流側接続部とを備えた切換ユニットにより構成されている、給湯装置。
【請求項７】
給湯用湯が貯湯される貯湯タンクと、
この貯湯タンク内に供給される給湯用水を加熱して給湯用湯に変換する加熱手段と、
上記貯湯タンクから給湯先に給湯するための給湯経路と、
下流端がこの給湯経路の途中に合流するように接続され上流端が外部熱源からの湯を供給する外部給湯経路と接続可能な接続口とされた導湯経路と、
上記給湯栓側の給湯経路に対する連通を上記貯湯タンク側及び導湯経路側のいずれかに相互切換えする切換手段と
を備えていることを特徴とする給湯装置。
【請求項８】
請求項７に記載の給湯装置であって、
上記接続口に対し外部給湯経路が接続状態にあるか否かを判別する接続検出手段と、上記貯湯タンク内に給湯可能な湯があるか否かを検出する湯検出手段と、この湯検出手段及び上記接続検出手段による検出結果に基づいて上記切換手段の切換作動を制御する作動制御手段とをさらに備え、
上記作動制御手段は、上記接続検出手段により外部給湯経路が非接続状態であると判別されたとき上記切換手段を貯湯タンク側に切換える一方、上記接続検出手段により外部給湯経路が接続状態にあると判別されたとき上記湯検出手段により給湯可能な湯があることが検出されている限り上記切換手段を貯湯タンク側に切換えて維持し上記湯検出手段により給湯可能な湯がないと検出されれば上記切換手段を導湯経路側に切換えるように構成されている、給湯装置。
【請求項９】
請求項７又は請求項８に記載の給湯装置であって、
上記加熱手段は、冷媒を圧縮、凝縮、膨張及び蒸発の冷凍サイクルで循環させるヒートポンプ回路を備え、上記貯湯タンクから導いた給湯用水を上記ヒートポンプ回路の凝縮過程の冷媒の熱と熱交換加熱することにより給湯用湯として上記貯湯タンクに戻すように構成されており、上記貯湯タンクと共にヒートポンプ給湯器を構成するものである、給湯装置。
【請求項１０】
請求項１〜請求項９のいずれかに記載の給湯装置であって、
上記給湯経路には浴槽に湯張りするための湯張り経路が分岐接続されている、給湯装置。
【発明の詳細な説明】
【０００１】
【発明の属する技術分野】
本発明は、ヒートポンプ給湯器に瞬間式給湯器等の補助加熱源を組み合わせた給湯装置に関する。
【０００２】
【従来の技術】
従来、自然エネルギーを加熱源として利用するソーラーシステムが知られ、このソーラーシステムでは太陽熱により加熱した湯を貯湯タンクに貯湯し、この貯湯タンク内の湯を給湯する給湯経路に補助加熱源を介装したものが知られている（例えば、特許文献１参照）。そして、上記補助加熱源としてガス瞬間式給湯器を採用したものも知られている（例えば特許文献２参照）。
【０００３】
また、近年、自然エネルギーとして大気の熱を利用するヒートポンプ給湯器が出現してきている。このヒートポンプ給湯器では、ヒートポンプ回路の凝縮過程で高熱となった冷媒を加熱源とし、この冷媒により熱交換加熱した湯を貯湯タンクに貯湯し、これを給湯先に給湯するようにしている。そして、ヒートポンプ給湯器は、上記のソーラーシステム等と比べ極めて高いエネルギー消費効率（ＣＯＰ）を実現し得ることからその普及のための開発が行われている。
【０００４】
【特許文献１】
特公平４−８６７５号公報
【特許文献２】
特公昭５７−１９３３０号公報
【０００５】
【発明が解決しようとする課題】
ところが、上記ヒートポンプ給湯器では、加熱するにはヒートポンプ回路を起動させる必要があり、直ぐに湯が必要であっても直ぐには湯を得ることはできないため、予めヒートポンプ回路を起動させて作った湯を貯湯タンク内に貯湯するようにしている。そして、貯湯タンクの容量として、一般家庭で使用する場合にはその一般家庭での１日の最大給湯使用量に基づいて定められることになる。具体的には、冬場などの給湯使用量が比較的多い時期の１日の最大給湯使用量に基づいて定められる。このため、貯湯タンクが大型化してしまい、一般家庭に適用する場合には設置スペースとしてかなりの場所を必要とすることになる一方、夏場の給湯使用量があまりない日には湯が使用されずに貯湯タンク内に貯湯されたままの状態で放熱されてしまい省エネルギーに反する事態を招くことになる。さらに、一般家庭ではなくてマンション等の集合住宅に適用しようとしても、上記の貯湯タンクの大型化のために実質的に設置スペースを確保することができず、その結果、集合住宅にはヒートポンプ給湯器を適用し得ない現状がある。
【０００６】
さらに、浴槽への湯張りのために上記ヒートポンプ給湯器からの給湯を利用しようとしても、現実には所定の湯温で所定の湯量の確保という点で難点があり浴槽への湯張りのためにはヒートポンプ給湯器からの給湯を利用しづらいという実情がある。
【０００７】
本発明は、このような事情に鑑みてなされたものであり、その目的とするところは、ヒートポンプ回路によるエネルギー消費効率の高い自然エネルギーの利用を図りつつ、貯湯タンクの可及的なコンパクト化と、必要な使用量及び湯温での給湯使用の確保との両立を実現し得る給湯装置を提供することにある。
【０００８】
【課題を解決するための手段】
上記目的を達成するために、本発明は、ヒートポンプ給湯器と瞬間式給湯器とを組み合わせることにより貯湯タンクのコンパクト化が図り得ることに着目し、以下の如き種々の使用形態を実現し得るようにしたものである。
【０００９】
すなわち、請求項１に係る発明では、ヒートポンプ給湯器と、瞬間式給湯器との組み合わせにより構成し、上記ヒートポンプ給湯器として冷媒を圧縮、凝縮、膨張及び蒸発の冷凍サイクルで循環させるヒートポンプ回路と、給湯用水が給水される貯湯タンクとを備え、かつ、上記貯湯タンク内から導いた給湯用水を上記凝縮過程の冷媒の熱により熱交換加熱して上記貯湯タンク内に給湯用湯として貯湯されるように構成し、上記瞬間式給湯器として入水口から出湯口までの経路の間で燃焼熱により熱交換加熱可能に構成する。そして、上記ヒートポンプ給湯器及び瞬間式給湯器を、上記貯湯タンクから給湯先までの給湯経路の途中に上記瞬間式給湯器の入水口から出湯口までの経路が介装されるよう直列に接続して、上記瞬間式給湯器がヒートポンプ給湯器からの給湯に対する補助加熱源として機能する構成とした。
【００１０】
この請求項１に係る発明の場合、貯湯タンクからの給湯経路の途中に瞬間式給湯器が直列に介装されているため、貯湯タンク内の湯温が給湯に不適、つまり給湯し得える湯が貯湯タンク内になかったり不足したりあるいはヒートポンプ給湯器の故障が生じたりする場合であっても、貯湯タンク内の湯水を給湯経路を通して給湯先に給湯する途中で瞬間式給湯器により追加加熱することにより、給湯先で要求される湯温でかつ要求される給湯使用量の湯を給湯し得ることになる。このため、貯湯タンクの容量を例えば最低限の給湯使用量だけ確保し得る程度の小さいものにしたとしても、予め貯湯しておいた貯湯タンク内の湯を全て給湯に使い切った後は、貯湯タンクに給水される給湯用水を瞬間式給湯器に通過させて加熱することにより、給湯先で要求する給湯使用量が上記貯湯タンクの容量以上であっても湯切れさせることなく給湯使用を継続させることが可能になる。以上により、ヒートポンプ給湯器の貯湯タンクを可及的に小型化（コンパクト化）することが可能になり、設置スペースを低減化して集合住宅であっても設置可能になるばかりでなく、無駄な放熱によるエネルギー消費の無駄を極小にすることが可能になる。
【００１１】
上記請求項１の給湯装置においては、さらに、上記ヒートポンプ給湯器の貯湯タンク内に給湯可能な湯があるか否かを検出する湯検出手段と、この湯検出手段により湯があると検出されたとき上記瞬間式給湯器を非燃焼とする一方、湯がないと検出されたとき上記瞬間式給湯器を燃焼させる作動制御手段とを備えるようにしてもよい（請求項２）。この場合には、瞬間式給湯器を湯検出手段の検出情報に基づき作動制御手段により適切なタイミングでかつ自動的に燃焼作動させることが可能になる。これにより、自然エネルギーによる貯湯タンク内の湯の給湯使用を優先させつつ、貯湯タンクで湯切れもしくは加熱不足等が発生した場合には瞬間式給湯器により確実に追加加熱して給湯先での給湯使用要求を確実に満足させることが可能になる。
【００１２】
請求項３に係る発明では、ヒートポンプ給湯器と、瞬間式給湯器との組み合わせにより構成し、上記ヒートポンプ給湯器として冷媒を圧縮、凝縮、膨張及び蒸発の冷凍サイクルで循環させるヒートポンプ回路と、給湯用水が給水される貯湯タンクとを備え、かつ、上記貯湯タンク内から導いた給湯用水を上記凝縮過程の冷媒の熱により熱交換加熱して上記貯湯タンク内に給湯用湯として貯湯される構成とし、上記瞬間式給湯器として入水口から出湯口までの経路の間で燃焼熱により熱交換加熱可能に構成する。そして、上記ヒートポンプ給湯器及び瞬間式給湯器を、上記貯湯タンクへの給水と上記入水口への給水とが共通の給水経路から行われる一方、上記貯湯タンクからの出湯と上記出湯口からの出湯とが共通の給湯経路に対し行われるように、給水経路及び給湯経路に対し並列に接続し、加えて、上記給湯経路に対し上記ヒートポンプ給湯器から出湯させるか、上記瞬間式給湯器から出湯させるかを切換可能に切換える切換手段を設けることとした。
【００１３】
この請求項３に係る発明の場合、貯湯タンクと瞬間式給湯器とが並列に設置されて給湯先に対しいずれからも給湯可能となる。このため、給湯し得える湯が貯湯タンク内になかったり不足したりあるいはヒートポンプ給湯器の故障が生じたりする場合には、上記切換手段の切換えにより瞬間式給湯器から給湯させることにより、給湯先で要求される湯温でかつ要求される給湯使用量の湯を給湯し得ることになる。そして、貯湯タンクの容量を例えば最低限の給湯使用量だけ確保し得る程度の小さいものにしたとしても、予め貯湯しておいた貯湯タンク内の湯を全て給湯に使い切った後は、上記切換手段の切換えにより瞬間式給湯器に給水させて加熱することにより、給湯先で要求する給湯使用量が上記貯湯タンクの容量以上であっても湯切れさせることなく給湯使用を継続させることが可能になる。以上により、請求項１に係る発明と同様に、ヒートポンプ給湯器の貯湯タンクを可及的に小型化することが可能になり、設置スペースを低減化して集合住宅であっても設置可能になるばかりでなく、無駄な放熱によるエネルギー消費の無駄を極小にすることが可能になる。
【００１４】
上記請求項３の給湯装置においては、さらに、上記ヒートポンプ給湯器の貯湯タンク内に給湯可能な湯があるか否かを検出する湯検出手段と、この湯検出手段による検出結果に基づいて上記切換手段の切換作動を制御する作動制御手段とを備えるようにしてもよい。ここで、上記作動制御手段として、上記湯検出手段により湯があると検出されたとき上記ヒートポンプ給湯器から出湯させるよう上記切換手段を切換える一方、湯がないと検出されたとき上記瞬間式給湯器から出湯させるよう上記切換手段を切換える構成とする（請求項４）。この場合には、上記切換手段の切換作動を湯検出手段の検出情報に基づく作動制御手段の切換制御により適切にかつ自動的に制御することが可能になる。これにより、自然エネルギーによる貯湯タンク内の湯の給湯使用を優先させつつ、貯湯タンクで湯切れもしくは加熱不足等が発生した場合には瞬間式給湯器から確実に給湯を継続させて給湯先での給湯使用要求を確実に満足させることが可能になる。
【００１５】
以上の請求項３又は請求項４の給湯装置の切換手段として、次の第１又は第２の構成を採用するようにしてもよい。すなわち、第１としては、上記切換手段を、ヒートポンプ給湯器の貯湯タンクから給湯経路への出湯部位の近傍に介装された第１切換弁と、瞬間式給湯器の出湯口から上記給湯経路への出湯部位の近傍に介装された第２切換弁とにより構成する（請求項５）。この場合には、切換手段を第１及び第２の両切換弁により簡易に構成し得る。なお、これら第１及び第２の両切換弁を一体化して三方切換弁とし、これを上記切換手段として採用するようにしてもよい。
【００１６】
第２としては、上記切換手段を、上記貯湯タンク側及び上記瞬間式給湯器の出湯口側の双方に対し着脱可能に接続される２つの上流側接続部と、給湯先に延びる給湯経路の上流側に対し着脱可能に接続される下流側接続部とを備えた切換ユニットにより構成する（請求項６）。この場合には、給湯経路を構成する配管に上記切換ユニットを介装させるだけで切換手段を設置することが可能になり、特に既存のヒートポンプ給湯器に対し後付けにより瞬間式給湯器を付設して本給湯装置を構成する作業を容易化することが可能になる。
【００１７】
請求項７に係る発明では、給湯用湯が貯湯される貯湯タンクと、この貯湯タンク内に供給される給湯用水を加熱して給湯用湯に変換する加熱手段と、上記貯湯タンクから給湯先に給湯するための給湯経路と、下流端がこの給湯経路の途中に合流するように接続され上流端が外部熱源からの湯を供給する外部給湯経路と接続可能な接続口とされた導湯経路と、上記給湯栓側の給湯経路に対する連通を上記貯湯タンク側及び導湯経路側のいずれかに相互切換えする切換手段とを備えることとした。
【００１８】
この請求項７に係る発明の場合、予め導湯経路及び切換手段が設置されているため、給湯装置を設置した後であっても、必要に応じて外部熱源から外部給湯経路を通して給湯を受けることが可能になる。すなわち、外部給湯経路を上記導湯経路の接続口に接続するだけで、外部給湯経路からの給湯を給湯経路内に導入することが可能になる。そして、外部給湯経路を接続すれば、貯湯タンク内の湯と外部熱源により加熱された湯とのいずれからも給湯先への給湯が可能となる。例えば、給湯し得える湯が貯湯タンク内になかったり不足したりする場合には、上記切換手段の切換えにより外部給湯経路から導湯経路を通して湯を導入させることにより、給湯先で要求される湯温でかつ要求される給湯使用量の湯を給湯し得ることになる。このため、貯湯タンクを例えば最低限の給湯使用量だけ確保し得る程度の小容量に小型化したとしても、予め貯湯しておいた貯湯タンク内の湯を全て給湯に使い切った後は、上記切換手段の切換えにより外部給湯経路からの湯を導入することにより、給湯先で要求する給湯使用量が上記貯湯タンクの容量以上であっても湯切れさせることなく給湯使用を継続させることが可能になる。従って、貯湯タンクの小型化と、給湯先での給湯使用要求を満たすこととの両立を図ることが可能になる。
【００１９】
上記請求項７の給湯装置においては、さらに、上記接続口に対し外部給湯経路が接続状態にあるか否かを判別する接続検出手段と、上記貯湯タンク内に給湯可能な湯があるか否かを検出する湯検出手段と、この湯検出手段及び上記接続検出手段による検出結果に基づいて上記切換手段の切換作動を制御する作動制御手段とを備えるようにしてもよい。ここで、上記作動制御手段として、上記接続検出手段により外部給湯経路が非接続状態であると判別されたとき上記切換手段を貯湯タンク側に切換える一方、上記接続検出手段により外部給湯経路が接続状態にあると判別されたとき上記湯検出手段により給湯可能な湯があることが検出されている限り上記切換手段を貯湯タンク側に切換えて維持し上記湯検出手段により給湯可能な湯がないと検出されれば上記切換手段を導湯経路側に切換える構成とするようにする（請求項８）。
【００２０】
この場合には、上記切換手段の切換作動を接続検出手段の検出情報に基づく作動制御手段の切換制御により適切にかつ自動的に制御することが可能になる。これにより、外部給湯経路が非接続状態であれば貯湯タンクからの給湯により給湯使用が可能になり、外部給湯経路が接続状態であれば、湯検出手段からの検出情報に基づき貯湯タンク内の湯の給湯使用を優先させつつ、貯湯タンクで湯切れもしくは加熱不足等が発生した場合には外部給湯経路からの導湯により確実に給湯を継続させて給湯先での給湯使用要求を確実に満足させることが可能になる。
【００２１】
上記の請求項７又は請求項８の給湯装置における上記加熱手段として、冷媒を圧縮、凝縮、膨張及び蒸発の冷凍サイクルで循環させるヒートポンプ回路を備え、上記貯湯タンクから導いた給湯用水を上記ヒートポンプ回路の凝縮過程の冷媒の熱と熱交換加熱することにより給湯用湯として上記貯湯タンクに戻すように構成し、上記貯湯タンクと共にヒートポンプ給湯器を構成するものとすることができる（請求項９）。つまり、ヒートポンプ給湯器の貯湯タンクからの給湯経路に対し導湯経路を合流させ、外部給湯経路が接続された場合にはこの外部給湯経路からの給湯をヒートポンプ給湯器のバックアップとして受け得るようにしたものである。この場合には、ヒートポンプ給湯器の貯湯タンクが従来は大型化してしまうことによる不都合を解消して、自然エネルギーを利用したヒートポンプ給湯器の貯湯タンクを可及的に小型化することが可能になり、設置スペースを低減化して集合住宅であっても設置可能になるばかりでなく、無駄な放熱によるエネルギー消費の無駄を極小にすることが可能になる。
【００２２】
以上の請求項１〜請求項９のいずれかの給湯装置における給湯経路に、浴槽に湯張りするための湯張り経路を分岐接続するようにしてもよい（請求項１０）。この場合には、浴槽の湯張りのために大量の給湯使用要求があってもそれを満足させることが可能となり、浴槽への湯張り機能を併せ持つ給湯装置としても好適なものを提供し得る。
【００２３】
【発明の効果】
以上、説明したように、請求項１又は請求項２の給湯装置によれば、貯湯タンクからの給湯経路の途中に瞬間式給湯器を直列に介装しているため、貯湯タンクの容量を例えば最低限の給湯使用量だけ確保し得る程度に小さくして小型化したとしても、予め貯湯しておいた貯湯タンク内の湯を全て給湯に使い切った後は、貯湯タンクに給水される給湯用水を瞬間式給湯器に通過させて加熱することにより、給湯先で要求する給湯使用量を湯切れさせることなく継続させることができるようになる。これにより、ヒートポンプ給湯器の貯湯タンクを可及的に小型化することができ、設置スペースを低減化して集合住宅であっても設置可能になるばかりでなく、無駄な放熱によるエネルギー消費の無駄を極小にすることができるようになる。
【００２４】
特に請求項２によれば、瞬間式給湯器を湯検出手段の検出情報に基づき作動制御手段により適切なタイミングでかつ自動的に燃焼作動させることができるようになる。これにより、自然エネルギーによる貯湯タンク内の湯の給湯使用を優先させつつ、貯湯タンクで湯切れもしくは加熱不足等が発生した場合には瞬間式給湯器により確実に追加加熱して給湯先での給湯使用要求を確実に満足させることができるようになる。
【００２５】
請求項３〜請求項６のいずれかの給湯装置によれば、貯湯タンクと瞬間式給湯器とを並列に設置して給湯先に対しいずれからでも給湯することができるようになる。このため、貯湯タンクの容量を例えば最低限の給湯使用量だけ確保し得る程度にして貯湯タンクを小型化したとしても、給湯先で要求される給湯使用量を湯切れさせることなく継続させることができる。これにより、ヒートポンプ給湯器の貯湯タンクを可及的に小型化することができ、設置スペースを低減化して集合住宅であっても設置可能になるばかりでなく、無駄な放熱によるエネルギー消費の無駄を極小にすることができる。
【００２６】
特に、請求項４によれば、切換手段の切換作動を湯検出手段の検出情報に基づく作動制御手段の切換制御により適切にかつ自動的に制御することができ、自然エネルギーによる貯湯タンク内の湯の給湯使用を優先させつつ、貯湯タンクで湯切れもしくは加熱不足等が発生した場合には瞬間式給湯器から確実に給湯を継続させて給湯先での給湯使用要求を確実に満足させることができる。
【００２７】
請求項５によれば、切換手段を第１及び第２の両切換弁により簡易に構成することができる。また、請求項６によれば、給湯経路を構成する配管に切換ユニットを介装させるだけで切換手段を設置することができ、特に既存のヒートポンプ給湯器に対し後付けにより瞬間式給湯器を付設して本給湯装置を構成する作業を容易化することができる。
【００２８】
請求項７〜請求項９のいずれかの給湯装置によれば、予め導湯経路及び切換手段が設置されているため、給湯装置を設置した後であっても、必要に応じて外部熱源から外部給湯経路を通して給湯を受けることが容易にできるようになる。これにより、外部給湯経路を接続すれば、貯湯タンク内の湯と外部熱源により加熱された湯とのいずれからも給湯先への給湯を行うことができ、貯湯タンクを例えば最低限の給湯使用量だけ確保し得る程度の小容量に小型化したとしても、給湯先で要求される給湯使用量を湯切れさせることなく継続させて満たすことができる。従って、貯湯タンクの小型化と、給湯先での給湯使用要求を満たすこととの両立を図ることができる。
【００２９】
特に、請求項８によれば、切換手段の切換作動を接続検出手段及び湯検出手段の検出情報に基づく作動制御手段の切換制御により適切にかつ自動的に制御することができる。これにより、外部給湯経路が非接続か接続かの状態に応じて自動切換を行うことができ、外部給湯経路が接続状態であれば、貯湯タンク内の湯の給湯使用を優先させつつ、貯湯タンクで湯切れもしくは加熱不足等が発生した場合には外部給湯経路からの導湯に切換えて確実に給湯を継続させ、給湯先での給湯使用要求を確実に満足させることができる。
【００３０】
請求項９によれば、ヒートポンプ給湯器の貯湯タンクが従来は大型化してしまうことによる不都合を解消して、自然エネルギーを利用したヒートポンプ給湯器の貯湯タンクを可及的に小型化することができ、設置スペースを低減化して集合住宅であっても設置可能になるばかりでなく、無駄な放熱によるエネルギー消費の無駄を極小にすることができる。
【００３１】
請求項１０の給湯装置によれば、浴槽の湯張りのために大量の給湯使用要求や湯温の要求があってもそれを満足させることができ、以上の請求項１〜請求項９のいずれかの給湯装置を、浴槽への湯張り機能を併せ持つ給湯装置として好適なものとすることができる。
【００３２】
【発明の実施の形態】
以下、本発明の実施形態を図面に基づいて説明する。
【００３３】
＜第１実施形態＞
図１には本発明の第１実施形態に係る給湯装置を示す。この給湯装置は、貯湯タンクを備えた貯湯式のヒートポンプ給湯器１と、瞬間式給湯器により構成されたバックアップ給湯器２とを直列に接続して組み合わせたものである。
【００３４】
すなわち、水道管等に接続された給水経路３の下流端をヒートポンプ給湯器１の給水口１２１に接続し、そのヒートポンプ給湯器１の貯湯タンク１２（図２参照）からの給湯口１２２から給湯先である１又は２以上（同図には１つのみ図示）の給湯栓４まで延びる給湯経路５の内の上流側の第１給湯経路部５１の下流端をバックアップ給湯器２の入水口２２１に接続し、そのバックアップ給湯器２の出湯口２４１に下流側の第２給湯経路部５２の上流端を接続したものである。上記バックアップ給湯器２の上記入水口２２１から出湯口２４１までの配管が給湯経路５の一部を構成し、その一部においてバックアップ給湯器２による追加加熱が可能となっている。つまり、バックアップ給湯器２はヒートポンプ給湯器１に対し補助加熱源としての役割を果たすようになっている。
【００３５】
これらヒートポンプ給湯器１には第１コントローラ１１が内蔵され、バックアップ給湯器２には第２コントローラ２１が内蔵され、第１及び第２の両コントローラ１１，２１は無線又は有線により相互に通信可能に接続されている。また、上記第１コントローラ１１にはリモコン１１１が接続され、このリモコン１１１に入力設定された情報も第１コントローラ１１を介して第２コントローラ２１に通信されるようになっている。上記第１コントローラ１１は後述のヒートポンプ回路１３等の運転制御部に加えてバックアップ給湯器２の作動制御手段を備えて構成され、上記第２コントローラ２１はバックアップ給湯器２の燃焼制御部を備えて構成されている。そして、上記第１コントローラ１１の作動制御手段から出力される燃焼開始指令を第２コントローラ２１が受けてバックアップ給湯器２の燃焼作動が開始されるようになっている。
【００３６】
以上のヒートポンプ給湯器１及びバックアップ給湯器２の具体的構成例について、図２に示す例を参照しつつ説明する。ヒートポンプ給湯器１は、貯湯タンク１２とヒートポンプ回路１３とを備え、ヒートポンプ回路１３の起動によりその所定部位の熱と熱交換加熱された湯が貯湯タンク１２に貯湯されるようになっている。
【００３７】
すなわち、上記貯湯タンク１２は、給水口１２１から給水経路３の水が底部に供給されて充填され、この水が循環ポンプ１４の作動により循環路１５を通して上記ヒートポンプ回路１３に送られ、このヒートポンプ回路１３で熱交換加熱された後の湯が給湯用湯として頂部に戻されるようになっている。そして、給湯栓４が開かれると給湯口１２２から貯湯タンク１２内の湯が給湯経路５の第１給湯経路部５１に給湯されるようになっている。また、上記貯湯タンク１２には上記給湯口１２２に給湯される温度を検出するための湯検出手段としての湯温度センサ１２３が設置されている。なお、この湯温度センサ１２３は貯湯タンク１２ではなくて給湯口１２２近傍の配管に設置するようにしてもよい。
【００３８】
上記貯湯タンク１２は、従来の如く冬場の１日の最大給湯使用量に相当する大容量のものではなくて、比較的小容量の小型のもので構成されている。例えば１日間に最低限使用されると予想される給湯使用量だけの容量に設定されている。
【００３９】
上記ヒートポンプ回路１３は、冷媒（例えばＣＯ２）の循環路１３１に対し圧縮機１３２と膨張弁１３３とが介装されており、圧縮機１３１により圧縮されて高温・高圧とされた冷媒が第１熱交換器（凝縮器）１３４において上記貯湯タンク１２から供給される水を熱交換加熱するようになっている。そして、膨張弁１３３により膨張されて低温・低圧とされた冷媒が第２熱交換器（蒸発器）１３５において外気との熱交換により吸熱して蒸発した後に、上記圧縮機１３１において再度圧縮されて高温・高圧となるようになっている。
【００４０】
以上のヒートポンプ回路１３の運転や循環ポンプ１４の作動による加熱運転等は第１コントローラ１１により運転制御されるようになっている。この運転制御はリモコン１１１からユーザーにより入力された運転指令の出力を受けて、又は、例えば１日の内の夜間電力を用いて自動的に開始され、ヒートポンプ１３及び循環ポンプ１４を作動させて貯湯タンク１２内に所定温度の湯を予め貯湯しておくようになっている。
【００４１】
一方、上記バックアップ給湯器２は、入水路２２と、熱交換器２３と、出湯路２４と、燃焼器２５とを備えている。そして、燃焼器２５が非燃焼状態のときには、入水口２２１から流入される第１給湯経路部５１からの湯水を入水路２２、熱交換器２３及び出湯路２４に素通りさせて出湯口２４１から第２給湯経路５２に流出させ、上記燃焼器２５が燃焼状態であれば上記入水口２２１から流入される湯水を熱交換器２３で熱交換加熱した上で出湯路２４を通して出湯口２４１から第２給湯経路部５２に流出させるようになっている。
【００４２】
上記入水路２２には入水流量を検出する流水流量センサ２２２と、その温度を検出する入水温度センサ２２３とが介装され、上記出湯路２４には熱交換器２３を通過した後の温度を検出する出湯温度センサ２４２と、流量調整弁２４３とが介装されている。また、上記燃焼器２５は供給された液体燃料（例えば灯油）又は気体燃料（例えば都市ガス）を燃焼させ、この燃焼熱により上記熱交換器２３内を通過する湯水を熱交換加熱するようになっている。この燃焼器２５の燃焼作動は上述の如く第１コントローラ１１から第２コントローラ２１に出力される燃焼開始指令に基づいて開始され、その燃焼作動時の燃焼量調整等は第２コントローラ２１の燃焼制御部による燃焼制御によって行われるようになっている。
【００４３】
次に、上記第１コントローラ１１及び第２コントローラ２１による給湯制御について図３のフローチャートを参照しつつ説明する。
【００４４】
給湯使用時には、まず湯温度センサ１２３からの検出温度に基づいて給湯し得る湯が貯湯タンク１２内にあるか否かを判定し判定結果の如何により制御を切換える（ステップＳ１）。
【００４５】
給湯用湯が貯湯タンク１２内にあると判定された場合には、さらにヒートポンプ給湯器１の各種センサからエラー信号が出力されていないこと（故障がないこと）を確認した上で、ヒートポンプ給湯器１の貯湯タンク１２から給湯経路５に出湯させて給湯栓４に給湯するようにしてリターンする（ステップＳ１でＹＥＳ、ステップＳ２でＹＥＳ、ＳＵＢ１）。この場合には、第２コントローラ２１には燃焼開始指令を出力せず、従って、バックアップ給湯器２は燃焼作動されずに上記給湯経路５に出湯された貯湯タンク１２の湯はそのままバックアップ給湯器２を素通りして給湯栓４まで給湯されることになる。
【００４６】
逆に給湯用湯が貯湯タンク１２内にはないと判定された場合（ステップＳ１でＮＯ）、及び、給湯用湯が貯湯タンク１２内にはあるが故障が発生していると判定された場合（ステップＳ２でＮＯ）には、それぞれ第２コントローラ２１に対し燃焼開始指令を出力してバックアップ給湯器２を燃焼作動させてバックアップ給湯器２で加熱した湯を給湯栓４に給湯するようにしてリターンする（ＳＵＢ２）。
【００４７】
第２コントローラ２１によるバックアップ給湯器２の燃焼制御は、第１コントローラ１１から上記入水流量センサ２２２及び入水温度センサ２２３からの検出情報に基づいて燃焼器２５を燃焼制御することになる。この燃焼制御により出湯口２４１から給湯栓４給湯される湯の温度（出湯温度センサ２４２の検出温度）が、リモコン１１１へ入力設定され上記第１コントローラ１１を介して第２コントローラ送信された給湯設定温度になるようにされる。
【００４８】
以上の第１実施形態では、ヒートポンプ給湯器１とバックアップ給湯器２とが直列に接続されているため、ヒートポンプ給湯器１からの給湯を優先させつつ、貯湯タンク１２の小型化により湯切れが生じても給湯経路５の途中でバックアップ給湯器２の燃焼作動により補助加熱させることができ、給湯栓４からの給湯使用を継続させることができる。
【００４９】
＜第２実施形態＞
図４には本発明の第２実施形態に係る給湯装置を示す。この給湯装置は、貯湯タンクを備えた貯湯式のヒートポンプ給湯器１と、瞬間式給湯器により構成されたバックアップ給湯器２とを並列に接続して組み合わせたものである。上記ヒートポンプ給湯器１及びバックアップ給湯器２は、各コントローラ１１ａ，２１ａでの制御内容が異なる点、給水経路３ａや給湯経路５ａの各接続が並列とされている点を除き、各具体構成自体は第１実施形態で説明したものと同じである（図２参照）。このため、以下の説明では図２に付した符号を用いる。
【００５０】
上記給湯装置は、水道管等に接続された給水経路３ａの下流端を分岐させてヒートポンプ給湯器１の給水口１２１及びバックアップ給湯器２の入水口２２１の双方に接続する一方、給湯先である１又は２以上（同図には１つのみ図示）の給湯栓４まで延びる給湯経路５の上流側を第１給湯経路部５１ａと第２給湯経路部５２ａとの２つに分岐させそれぞれ上流端を上記ヒートポンプ給湯器１の後述の貯湯タンクからの給湯口１２２及びバックアップ給湯器２の出湯口２４１に接続したものである。つまり、給湯栓４に対しヒートポンプ給湯器１及びバックアップ給湯器２のいずれからでも給湯可能となっており、バックアップ給湯器２はヒートポンプ給湯器１に対し補助加熱源としての役割を果たすようになっている。
【００５１】
また、上記第１給湯経路部５１ａには流路を開閉切換えする第１切換弁６１が介装され、上記第２給湯経路部５２ａには流路を開閉切換えする第２切換弁６２が介装されている。これら第１及び第２の両切換弁６１，６２は後述の第１コントローラ１１ａにより切換作動制御されるようになっている。
【００５２】
上記ヒートポンプ給湯器１には第１コントローラ１１ａが内蔵され、バックアップ給湯器２には第２コントローラ２１ａが内蔵され、第１実施形態と同様に第１及び第２の両コントローラ１１ａ，２１ａが無線又は有線により相互に通信可能に接続されている。また、上記第１コントローラ１１ａにはリモコン１１１が接続され、このリモコン１１１に入力設定された情報も第１コントローラ１１ａを介して第２コントローラ２１ａに通信されるようになっている。上記第１コントローラ１１ａはヒートポンプ回路１３等の運転制御部に加えて上記両切換弁６１，６２の切換作動を制御する作動制御手段を備えて構成され、上記第２コントローラ２１ａはバックアップ給湯器２の燃焼制御部を備えて構成されている。
【００５３】
上記第２コントローラ２１ａの燃焼制御部は上記第２切換弁６２が開状態にされることにより給水経路３ａから入水される入水流量の検出に基づいてバックアップ給湯器２の燃焼作動を開始させるようになっている。すなわち、上記燃焼制御部は入水流量センサ２２２（図２参照）が最低作動流量以上の流量を検出すると燃焼器２５の燃焼作動を開始し、以後、出湯温度センサ２４２の検出温度がリモコン１１１に入力設定された設定給湯温度になるように燃焼量の調整を行うようになっている。
【００５４】
次に、上記第１コントローラ１１ａ及び第２コントローラ２１ａによる給湯制御について図５のフローチャートを参照しつつ説明する。
【００５５】
給湯使用時には、まず湯温度センサ１２３（図２参照）からの検出温度に基づいて給湯し得る湯が貯湯タンク１２内にあるか否かを判定し判定結果の如何により制御を切換える（ステップＳ１１）。
【００５６】
給湯用湯が貯湯タンク１２内にあると判定された場合には、さらにヒートポンプ給湯器１の各種センサからエラー信号が出力されていないこと（故障がないこと）を確認した上で、第１切換弁６１を開状態に第２切換弁６２を閉状態にそれぞれ切換える（ステップＳ１１でＹＥＳ、ステップＳ１２でＹＥＳ、ステップＳ１３）。そして、ヒートポンプ給湯器１の貯湯タンク１２から第１給湯経路部５１ａ（給湯経路５ａ）に出湯させて給湯栓４に給湯するようにしてリターンする（ＳＵＢ１１）。この場合には、第２切換弁６２が閉状態にされるため、バックアップ給湯器２には給水経路からの入水は行われず、このため、バックアップ給湯器２は燃焼作動されずに給湯栓４への給湯がヒートポンプ給湯器１からのみ行われることになる。
【００５７】
逆に給湯用湯が貯湯タンク１２内にはないと判定された場合（ステップＳ１１でＮＯ）、及び、給湯用湯が貯湯タンク１２内にはあるが故障が発生していると判定された場合（ステップＳ１２でＮＯ）には、第１切換弁６１閉状態に第２切換弁６２を開状態にそれぞれ切換えてバックアップ給湯器２で加熱した湯を給湯栓４に給湯するようにしてリターンする（ステップＳ１４、ＳＵＢ１２）。
【００５８】
つまり、第２切換弁６２を開状態にすると、バックアップ給湯器２の入水路２２に対し給水経路３ａから入水され、この入水流量が所定量以上になると燃焼器２５が燃焼作動されて上記入水が所定温度まで加熱されることになる。この結果、バックアップ給湯器２から第２給湯経路部５２ａ（給湯経路５ａ）に出湯されて給湯栓４への給湯が行われるようになる。
【００５９】
以上の第２実施形態では、ヒートポンプ給湯器１とバックアップ給湯器２とが並列に接続され、一対の切換弁６１，６２の切換作動制御を行っているため、ヒートポンプ給湯器１からの給湯を優先させつつ、貯湯タンク１２の小型化により湯切れが生じても上記切換作動制御によりバックアップ給湯器２からの給湯に切換えることができ、給湯栓４への給湯を継続させることができる。
【００６０】
なお、以上の第２実施形態における一対の切換弁６１，６２を給湯経路部５１ａ，５２ａに介装させずに、各給湯器１，２に予め内蔵させてよりコンパクト化を図るようにしてもよい。すなわち、第１切換弁６１をヒートポンプ給湯器１に内蔵させ、第２切換弁６２をバックアップ給湯器２に内蔵させる。
【００６１】
また、図６に例示する如く上記一対の切換弁６１，６２を含んだ切換ユニット６を介装するようにしてもよい。すなわち、上記切換ユニット６として、ヒートポンプ給湯器１の給湯口１２２からの接続管５３及びバックアップ給湯器２の出湯口２４１からの接続管５４の双方に対し着脱可能に接続される２つの上流側接続部６３，６４と、給湯栓４に延びる給湯経路５ａの上流端に対し着脱可能に接続される下流側接続部６５と、第１及び第２の両切換弁６１，６２とを備えて構成する。そして、第１切換弁６１の上流側を上記接続口６３に、第２切換弁６２の上流側を上記接続口６４にそれぞれ接続する一方、両切換弁６１，６２の下流側を上記接続口６５に接続する。このような切換ユニット６を用いることにより、既存のヒートポンプ給湯器１に対し後付けにてバックアップ給湯器２を付設する工事を容易に行うことができるようになる。
【００６２】
＜第３実施形態＞
図７には本発明の第３実施形態に係る給湯装置を示す。この給湯装置は、貯湯タンク１２を備え給湯栓４への給湯に加え浴槽７への湯張り機能をも備え、かつ、外部熱源としてのバックアップ給湯器２からの外部給湯経路８と必要に応じて接続可能とされた貯湯式のヒートポンプ給湯器１ａにより構成されている。上記バックアップ給湯器２自体は第１又は第２実施形態と同様に瞬間式給湯器により構成され、その具体構成は第１又は第２実施形態と同様である。このため、バックアップ給湯器２の具体構成要素については図２に付した符号を用いる。また、ヒートポンプ給湯器１ａの貯湯タンク１２、ヒートポンプ回路１３、循環ポンプ１４及び循環路１５は第１実施形態で説明したものと同じであるため、以下の説明では第１実施形態と同じ符号を付して詳細な説明を省略する。
【００６３】
上記ヒートポンプ給湯器１ａは、水道管等に接続された給水経路３ａの下流端を分岐させてヒートポンプ給湯器１ａの給水口１２１及びバックアップ給湯器２の入水口２２１の双方に接続する一方、給湯先である１又は２以上（同図には１つのみ図示）の給湯栓４まで延びる給湯経路５ｂの上流端を上記ヒートポンプ給湯器１ａの給湯口１２２に接続したものである。そして、バックアップ給湯器２の出湯口２４１から延ばした外部給湯経路８の下流端８１がヒートポンプ給湯器１ａの導湯接続口１８１に着脱可能に接続されるようになっている。
【００６４】
そして、上記給水口１２１から延びる給水路１６の下流側が分岐されて、一方が貯湯タンク１２の底部に接続され、他方が後述の湯水混合弁１７ｂに接続されている。一方、上記貯湯タンク１２の頂部から給湯口１２２まで延びる給湯路１７には給湯元を貯湯タンク１２側か導湯側かに切換える切換弁１７ａ及び湯水混合弁１７ｂが介装されている。そして、上記導湯接続口１８１から延びる導湯経路１８の下流端が上記導湯切換弁１７ａに接続され、上記切換弁１７ａが導湯側に切換えられることで外部給湯経路８から供給される湯を給湯用湯として導入可能となっている。
【００６５】
また、上記湯水混合弁１７ｂと給湯口１２２との間の給湯路１７から湯張り路１９が分岐され、この湯張り路１９は途中に湯張り電磁弁１９ａが介装されて下流端が湯張り接続口１９１に接続されている。そして、この湯張り接続口１９１に対し湯張り配管７１が接続され、この湯張り配管７１を通して浴槽７へ湯張りのための給湯が行われるようになっている。
【００６６】
上記ヒートポンプ給湯器１ａには第１コントローラ１１ｂが内蔵され、バックアップ給湯器２には第２コントローラ２１ｂが内蔵されており、第２コントローラ２１ｂの通信線の接続端末２１２を第１コントローラ１１ｂの接続端末１１２に接続することにより、接続検出信号が第１コントローラ１１ｂに出力され第１コントローラ１１ｂでは第２コントローラ２１ｂが接続されたこと、すなわちバックアップ給湯器２が接続されたこと（バックアップ接続のあったこと）を認識するようになっている。すなわち、上記接続端末１１２，２１２が接続検出手段を構成している。そして、接続端末同士が接続されると、第１コントローラ１１ｂと第２コントローラ２１ｂとは相互に通信可能となり、第２コントローラ２１ｂにはリモコン１１１に入力設定された情報も第１コントローラ１１ａを介して送出されるようになっている。
【００６７】
上記第１コントローラ１１ｂはヒートポンプ回路１３等の運転制御部に加えて上記切換弁１７ａの切換作動を制御する作動制御手段、湯水混合弁１７ｂによる温調制御部、及び、湯張り電磁弁１９ａの開閉切換えによる湯張り制御部を備えて構成され、上記第２コントローラ２１ｂはバックアップ給湯器２の燃焼制御部を備えて構成されている。なお、第２コントローラ２１ｂの制御構成は第２実施形態の第２コントローラ２１ａと同様に、給水経路３ａから入水される入水流量の検出に基づいてバックアップ給湯器２の燃焼器２５の燃焼作動を開始させ、以後、外部給湯経路８への出湯温度（出湯温度センサ２４２の検出温度）がリモコン１１１に入力設定された設定給湯温度になるように燃焼量の調整を行うようになっている。
【００６８】
次に、上記第１コントローラ１１ｂ及び第２コントローラ２１ｂによる給湯制御について図８のフローチャートを参照しつつ説明する。
【００６９】
給湯使用時には、まず接続端末１１２，２１２からの接続検出信号の出力の有無に基づいてバックアップ接続があるか否か、つまりバックアップ給湯器２の外部給湯経路８が接続口１８１に接続されて導湯可能になっているか否かを判定する（ステップＳ２１）。バックアップ接続がなければ、切換弁１７ａを貯湯タンク１２側に切換えて、ヒートポンプ給湯器１ａの貯湯タンク１２からの給湯を行いリターンする（ステップＳ２１でＮＯ、ステップＳ２４、ＳＵＢ１）。
【００７０】
ステップＳ２１でバックアップ接続があると判定されれば、湯温度センサ１２３からの検出温度に基づいて給湯し得る湯が貯湯タンク１２内にあるか否かを判定し判定結果の如何により制御を切換える（ステップＳ２１でＹＥＳ、ステップＳ２２）。
【００７１】
給湯用湯が貯湯タンク１２内にあると判定された場合には、さらにヒートポンプ給湯器１の各種センサからエラー信号が出力されていないこと（故障がないこと）を確認した上で、切換弁１７ａを貯湯タンク１２側に切換えて、ヒートポンプ給湯器１ａの貯湯タンク１２からの給湯を行いリターンする（ステップＳ２２でＹＥＳ、ステップＳ２３でＹＥＳ、ステップＳ２４、ＳＵＢ１）。この場合には、切換弁１７ａにおいて導湯側（バックアップ側；導湯経路１８側）が遮断されているため、バックアップ給湯器２の入水口２２１にも給水経路３ａからの水は入水されず、従って、燃焼器２５も燃焼されない。
【００７２】
逆に給湯用湯が貯湯タンク１２内にはないと判定された場合（ステップＳ２２でＮＯ）、及び、給湯用湯が貯湯タンク１２内にはあるが故障が発生していると判定された場合（ステップＳ２３でＮＯ）には、切換弁１７ａを導湯側に切換えて、バックアップ給湯器２で加熱した湯を外部給湯経路８及び導湯経路１８を通して給湯路１７に導入し、この湯を給湯栓４に給湯するようにしてリターンする（ステップＳ２５、ＳＵＢ２）。つまり、切換弁１７ａを導湯側に切換えると、バックアップ給湯器２の入水路２２に対し給水経路３ａから入水され、この入水流量が所定量以上になると燃焼器２５が燃焼作動されて上記入水が所定温度まで加熱されることになる。この結果、バックアップ給湯器２から外部給湯経路８に出湯されるようになる。
【００７３】
以上の第３実施形態では、バックアップ給湯器２が接続されていなければ、ヒートポンプ給湯器１ａの単独給湯により給湯栓４又は浴槽７への給湯が行われる。バックアップ給湯器２が接続されていれば、給湯栓４又は浴槽７に対しヒートポンプ給湯器１からの給湯を優先させつつ、貯湯タンク１２の小型化により湯切れが生じても上記切換弁１７ａの導湯側切換えによりバックアップ給湯器２からの給湯に切換えることができ、給湯栓４又は浴槽７への給湯を継続させることができる。
【００７４】
なお、以上の第３実施形態における切換弁１７ａを、湯水混合弁１７ｂと湯張り路１９の分岐部との間の給湯路１７に介装させるようにしてもよい。
【００７５】
また、外部給湯経路８の下流端８１と、導湯経路１８の接続口１８１とによって接続検出手段を構成するようにしてもよい。
【図面の簡単な説明】
【図１】本発明の第１実施形態を示す模式図である。
【図２】第１実施形態のヒートポンプ給湯器及びバックアップ給湯器の具体構成を示す模式図である。
【図３】第１実施形態の給湯制御を示すフローチャートである。
【図４】第２実施形態を示す模式図である。
【図５】第２実施形態の給湯制御を示すフローチャートである。
【図６】第２実施形態の他の形態を示す図４対応図である。
【図７】第３実施形態を示す模式図である。
【図８】第３実施形態の給湯制御を示すフローチャートである。
【符号の説明】
１　　　　　　　ヒートポンプ給湯器
１ａ　　　　　　ヒートポンプ給湯器（給湯装置）
２　　　　　　　バックアップ給湯器（瞬間式給湯器）
３，３ａ　　　　給水経路
４　　　　　　　給湯栓（給湯先）
５，５ａ，５ｂ　給湯経路
６　　　　　　　切換ユニット（切換手段）
７　　　　　　　浴槽
８　　　　　　　外部給湯経路
１１，１１ａ，１１ｂ　　第１コントローラ（作動制御手段）
１２　　　　　　貯湯タンク
１３　　　　　　ヒートポンプ回路（加熱手段）
１７　　　　　　給湯路（給湯経路）
１７ａ　　　　　切換弁（切換手段）
１８　　　　　　導湯経路
１９　　　　　　湯張り路（湯張り経路）
６１　　　　　　第１切換弁（切換手段）
６２　　　　　　第２切換弁（切換手段）
６３，６４　　　上流側接続口
６５　　　　　　下流側接続口
１１２，２１２　接続端末（接続検出手段）
１２３　　　　　湯温度センサ（湯検出手段）
２２１　　　　　入水口
２４１　　　　　出湯口
【図１】
2004125226.tif 000003
【図２】
2004125226.tif 000004
【図３】
2004125226.tif 000005
【図４】
2004125226.tif 000006
【図５】
2004125226.tif 000007
【図６】
2004125226.tif 000008
【図７】
2004125226.tif 000009
【図８】
2004125226.tif 000010